(57)【要約】【課題】  地下水位が浅い地域では大雨、雪解け時期に地下水位が上昇して容易に流入管より水位が高くなり流入管をふさぎ、排水の逆流などを起こし流入管上流の施設が使用不能に成る点、及び電気料金がかかる、水中ポンプの故障に備えて予備の水中ポンプを用意しておく必要がある等の設置コスト、ランニングコストがかかる、また常に水中ポンプが作動しているので故障が発生し安く保守が大変である等の点。【解決手段】  浸透桝内に密閉された円筒もしくは角筒状のポンプ槽を配置し下り勾配を付けた流入管を接続し、流入管より少し下の位置に浮き式の逆流防止弁付きの排出管を設ける。ポンプ槽内に水中ポンプを設置し排出口に圧送管を接続して出口を側溝等に開放する。水中ポンプに水位の下限と上限を検知する下限センサーと上限センサーを設ける。上記の構成の浸透桝内に上昇して来た地下水が排出管の位置より高くなると逆流防止弁が閉じて排出管が塞がれポンプ槽内に汚水が逆流しないようにする。【選択図】  図２
2005127119.tif 000002
【特許請求の範囲】
【請求項１】
浸透桝内に密閉された円筒もしくは角筒状のポンプ槽を配置し下り勾配を付けた流入管を接続し流入管より少し下の位置に排出管を設ける。
ポンプ槽内に水中ポンプを設置し排出口に圧送管を接続して出口を側溝等に開放する。
水中ポンプに水位の下限と上限を検知する下限センサーと上限センサーを設け、下限の位置はポンプ槽の底近く上限の位置は流出管の水位より高く流入管の水位より低い位置に設定する。
以上の様に構成された浸透桝等における排水装置において排出管に逆流防止弁を設けた事を特徴とする浸透桝等における排水装置。
【請求項２】
請求項１において水中ポンプをポンプユニットとして地上に設置し、ポンプ槽には水位の下限と上限を検知するセンサーを設け、更に吸入管を接続した事を特徴とする浸透桝等における排水装置。
【発明の詳細な説明】
【発明の詳細な説明】
【技術分野】
【０００１】  本発明は、雨水及び家庭用浄化槽の排水などを地中に浸透させる浸透桝及び浸透槽の排水装置に関するものである。
【背景技術】
【０００２】  雨水・排水などを地中に浸透させるためにコンクリート製の浸透桝１などを地表１００に埋設し、その浸透桝１に下り勾配を付けた流入管２を接続して雨水及び排水を流入させ地中浸透させる。
【従来の技術１】
【０００３】  図４に示すように、寒冷地では凍結を防止するために流入管２は凍結深度以上に深く埋設するが地下水位１１１が浅い地域では大雨、雪解け時期に一時的に地下水位が上昇して容易に流入管２より地下水位１１２が高くなり流入管２をふさぎ、排水の逆流などを起こし流入管２上流の施設が使用不能に成る事が有る。
【従来の技術２】
【０００４】  従って地下水位の上昇が予め予想される時は図５に示すように、浸透桝１の代りに密閉された円筒もしくは角筒状のポンプ槽３を埋設し流入管２と少し低い位置に流出管３５を接続し流出管３５の出口は側溝７０等に開放する。
ポンプ槽３内に水中ポンプ４を設置し排水管４５を接続して側溝７０等に開放する。
【０００５】通常の地下水位が上昇していない状態の排水の流れは、流入管２よりポンプ槽３内に流入しポンプ槽３内たまった排水５２は流出管３５を通って側溝７０等に流出する。
【０００６】地下水位が上昇した時の排水の流れは、側溝７０から排水がポンプ槽３内に逆流してくる、この時ポンプ槽３内の水位が高くなると上限センサー４２が働き水中ポンプ４を作動して排水管４５を通して側溝７０に排水する。
排水５２が少なくなって下限センサー４１が働くと水中ポンプ４を停止する。
【０００７】しかし、この方法は地下水位が上昇した時には常に水中ポンプ４を作動させているので電気料金がかかる、水中ポンプ４の故障に備えて予備の水中ポンプを用意しておく必要がある等設置コスト、ランニングコストがかかる、また常にポンプが作動しているので故障が発生し安く保守が大変である。
【発明が解決しようとする課題】
【０００８】  本発明は従来の技術１で述べた地下水位が浅い地域では大雨、雪解け時期に地下水位が上昇して容易に流入管より水位が高くなり流入管をふさぎ、排水の逆流などを起こし流入管上流の施設が使用不能に成る問題点。
【０００９】及び従来の技術２で述べた電気料金がかかる、水中ポンプの故障に備えて予備の水中ポンプを用意しておく必要がある等の設置コスト、ランニングコストがかかる、また常に水中ポンプが作動しているので故障が発生し安く保守が大変である等の問題点を解決しようとするものである。
【課題を解決するための手段】
【００１０】  浸透桝内に密閉された円筒もしくは角筒状のポンプ槽を配置し下り勾配を付けた流入管を接続する。
ポンプ槽に流入管より少し下の位置に浮き式の逆流防止弁付きの排出管を設ける。ポンプ槽内に水中ポンプを設置し排出口に圧送管を接続して出口を側溝等に開放する。
水中ポンプに水位の下限と上限を検知する下限センサーと上限センサーを設け、下限の位置はポンプ槽の底近く上限の位置は流出管の水位より高く流入管の水位より低い位置に設定する。
センサーが下限を検知すると水中ポンプを停止し上限を検知するとポンプを作動する。
水中ポンプの吸入口はセンサーの下限位置より低い位置から吸水する。
【００１１】  通常の汚水の流れを以下に記述する、流入管よりポンプ槽に流入した汚水は排出管の位置まで溜まって排出管から浸透桝内に排出され地中に浸透する、この段階ではポンプは作動していない。
【００１２】  地下水位が上昇した時の汚水の流れを以下に記述する、浸透桝内に上昇して来た地下水が排出管の位置より高くなると逆流防止弁が閉じて排出管が塞がれポンプ槽内に汚水が逆流しなくなる。
この時に流入管から流入した汚水はポンプ槽内に溜まっていく、そして流入管の位置近くまで汚水が溜まると上限センサーが働いて水中ポンプを作動し、ポンプ槽内の汚水は圧送管を通して側溝等に排出される、汚水が無くなると下限センサーが働いて水中ポンプを停止する、また汚水が溜まって上限センサーが働くと水中ポンプが作動し汚水を排出し汚水が無くなると下限センサーが働いて水中ポンプを停止する。
この繰り返しでポンプ槽内の汚水の水位を常に流入管より下に保つ、地下水位が下がると排出管の逆流防止弁が開いて浸透桝内に汚水が流れ地下浸透する。
【実施例】
【００１３】  以下、本発明の実施例を図面にもとづき説明する。
【実施例１】  図１、図２において地表に埋設したコンクリート製の浸透桝１の内部に密閉された円筒もしくは角筒状のポンプ槽３を設け下り勾配を付けた流入管２を接続する、ポンプ槽３に流入管２より少し下の位置に浮き３３が着いた逆流防止弁３２付きの流出管３１を設ける。
ポンプ槽３内に水中ポンプ４を設置し排出口に圧送管を接続して出口を側溝等に開放する、水中ポンプ４の吸入口はセンサーの下限５１位置より低い位置にある。さらに水中ポンプ４には水位の下限と上限を検知する下限センサー４１と上限センサー４２を設けてある、下限５１の位置はポンプ槽３の底近く上限５２の位置は流出管３１の水位より高く流入管２の水位より低い位置に設定する。【００１４】通常の汚水の流れを以下に記述する、流入管２よりポンプ槽３に流入した汚水は排出管３１の位置まで溜まって排出管３１を通って浸透桝１内に排出され地中に浸透する、この段階では水中ポンプ４は作動していない。【００１５】地下水位が上昇した時の汚水の流れを以下に記述する、浸透桝１内に上昇して来た地下水１１２が排出管３１の位置より高くなると浮き３３の浮力によって逆流防止弁３２が閉じて排出管３１が塞がれポンプ槽３内に汚水が逆流しなくなる。【００１６】この時に流入管２から流入した汚水はポンプ槽３内に溜まっていく、そして流入管２の位置５２近くまで汚水が溜まると上限センサー４２が働いて水中ポンプ４を作動しポンプ槽３内の汚水を圧送管４５を通して側溝７０等に排出する。
汚水が無くなると下限センサー４１が働いて水中ポンプ４を停止する、また汚水が溜まって上限センサー４２が働くと水中ポンプ４が作動し汚水を排出し汚水が無くなると下限センサー４１が働いて水中ポンプ４を停止する。【００１７】以上の様に水中ポンプ４の作動、停止を繰り返してポンプ槽３内の汚水の水位を常に流入管２より下にして流入管２からの汚水の流入に支障の無いようにして、流入管２上流の施設が使用不能に成らない様にしている。
水中ポンプ４はポンプ槽３内の汚水のみを排出するので作動時間は短くて済む。【００１８】地下水位が下がって通常の状態に水位が戻った時は逆流防止弁３２が開いて汚水は排出管３１を通って浸透桝１内に排出され地中に浸透する。
【実施例２】
【００１９】  図３において、実施例１の水中ポンプ４部分をポンプ槽３内から地上に設置して更に保守を容易にする様にした実施例２である。【００２０】浸透桝１、流入管２、ポンプ槽３、浮き３３、逆流防止弁３２、排出管３１の構成は実施例１と同じである。
以下、実施例１と異なる点はポンプ槽３内に汚水の水位の下限と上限を検知するセンサー４０を設けて下限の位置４０ａと上限の位置４０ｂを設定している。【００２１】ポンプ槽３の底付近にポンプ６１の吸入口に接続した吸入管６４を接続している。ポンプユニット６０はポンプ６１、モーター６２、制御盤６３から構成され、地上の小屋等に設置する。
ポンプ６１の吸入口には吸入管６４、排出口には圧送管６５がそれぞれ接続して吸入管６４はポンプ槽３に、圧送管６５は側溝７０等に開放している。【００２２】通常の地下水位の時の汚水の流れは実施例１と同じである。
地下水位１１２が上昇した時に逆流防止弁３２が閉じ排出管３１を塞ぎ汚水がポンプ槽３内に逆流するのを防ぐのは実施例１と同じである。
その後ポンプ槽３内に汚水が流入して来てセンサー４０が上限の位置４０ｂに達すると制御盤６３の制御によりモーター６２が回転してポンプ６１を作動してポンプ槽３内から汚水を汲み上げ側溝７０等に排出する。
ポンプ槽３内の汚水が減少してセンサー４０が下限の位置４０ａに達すると制御盤６３の制御によりモーター６２が止まり汚水の排出を停止する。
【発明の効果】
【００２３】  以上説明した様に、地表に埋設したコンクリート製の浸透桝１の内部に設置したポンプ槽３に流入管２より少し下の位置に逆流防止弁３２付きの流出管３１を設ける事で地下水位が上昇した時のポンプ槽３内への汚水の逆流を防ぐ事が出来る。
【００２４】その結果、水中ポンプ４はポンプ槽３内の汚水のみを排出するので作動時間は短くて済み、従来の技術で述べた電気料金がかかる、水中ポンプの故障に備えて予備の水中ポンプを用意しておく必要がある等の設置コスト、ランニングコストがかかる、また常に水中ポンプが作動しているので故障が発生し安く保守が大変である等の問題点を解決するものである。
【００２５】又、実施例２はポンプユニット６０を地上に設置する事で更に保守を容易にした。
【００２６】流出管３１に逆流防止弁３２が付いてないとポンプ槽３内へ汚水が次々と逆流して地下水位が下がるまで水中ポンプ４は作動し続ける。
【図面の簡単な説明】
【図１】本発明の実施例１を設置した通常水位の状態を示す断面図である。
【図２】図１の地下水位が上昇した状態を示す断面図である。
【図３】本発明の実施例２を設置した断面図及び配管図である。
【図４】従来技術１を示す断面図。
【図５】従来技術２を示す断面図。
【符号の説明】
１・・・・浸透桝                  ２・・・・流入管
３・・・・ポンプ槽                ３１・・・流出管
３２・・・逆流防止弁              ３３・・・浮き
４・・・・水中ポンプ              ４１・・・下限センサー
４２・・・上限センサー            ６０・・・ポンプユニット
６１・・・ポンプ                  ６２・・・モーター
６３・・・制御盤
【図１】
2005127119.tif 000003
【図２】
2005127119.tif 000004
【図３】
2005127119.tif 000005
【図４】
2005127119.tif 000006
【図５】
2005127119.tif 000007